(57)【特許請求の範囲】
【請求項１】
洗濯物を干す複数本の干し腕が放射状に広げた状態と折りたたんだ状態とに起倒自在に取
り付けられた干し腕支持体を干し腕の折りたたんだ状態の方向に延びる被挟持体に挟持し
て洗濯物を干すようにした物干し具において、該干し腕支持体は上面と下面および弧状の
外周壁と直線状の接離面となる内周壁とを有する一対の略半円形状であって該内周壁には
該干し腕支持体が略円形状となるように接離する接離面と該接離面に形成した凹部を有し
ており、干し腕支持体を閉じる方向に付勢するバネに抗して該一対の干し腕支持体の先端
位置が広く開閉させるように一対の摘み操作部をそれぞれの干し腕支持体の外周壁の下方
位置に設けて、複数本の干し腕のそれぞれが該干し腕支持体の外周壁の上方位置にて起倒
自在に取り付けてなり、該摘み操作部にて該干し腕支持体を開閉する事により該内周壁の
凹部で該被挟持体に挟持して洗濯物を干すようにし、前記干し腕支持体の先端位置における外周壁の高さは後端位置における外周壁の高さよりも大きくした事を特徴とする物干し具
【請求項２】
前記干し腕支持体の内周壁には略中央位置にあって略半円状に切除された第１の凹部と先
端位置と略中央位置との間にあって三角形状に切除された第２の凹部を設けてこれら第１
の凹部と第２の凹部の少なくとも何れか一方にて該干し腕支持体を被挟持体に挟持して洗
濯物を干すようにした事を特徴とする請求項１記載の物干し具。
【請求項３】
前記一対の干し腕支持体のそれぞれを摘み操作部と合成樹脂で一体に成形した事を特徴と
する請求項１又は２記載の物干し具。
【発明の詳細な説明】
【技術分野】
【０００１】
本発明は、ベランダの縦格子、竿等に吊り下げられた干し具の支柱や物干し竿が横架され
た上下方向に延びる支柱等のように両端が閉塞されたもしくは径大な被挟持体又は扉や窓
の枠等の棒状ではない幅広な板状のような被挟持体等の如く上下方向に延びる被挟持体に
挟持して、靴下やハンカチ等の小物類の洗濯物を干せるようにした物干し具に関するもの
である。
【背景技術】
【０００２】
被挟持体に挟持して洗濯物を干せるようにした物干し具にあっては、どこにでも簡単に強
固に挟持する事が出来る物干し具が望まれている。例えば、特許文献１は、対向して設け
た左右一対の挟持部材に物干し竿等に挟持する洗濯ばさみで、挟持部材の上部に指で操作
する摘み操作部を設け、下部に洗濯物を挟むための挟持部を有し、該挟持部の外側面に外
方へ翼状に延びる左右一対の腕部が設けられ、該腕部にはピンチ吊持ち用の吊持ち部を設
けて、物干し竿の位置が低い場合でも、バスタオルやシーツ等の長尺洗濯物の先端部分が
ベランダの床等に着いて汚れたりする事を防止出来、しかも洗濯物を乾かし易くする洗濯
ばさみが提案されている。しかし、この種の物干し具にあっては、上下方向に延びる支柱
に横架された物干し竿に適用した洗濯ばさみであって、上下方向に延びる支柱に挟持して
干す腕を複数本にして放射状とする物干し具には不向きである。
【０００３】
そこで、上下方向に延びる支柱の挟持体に利用する物干し具として、例えば、特許文献２
のように、棒状体である支柱に弾性的に締め付ける環状部が形成されたクランプの該環状
部を縮径させつつハウジング内に収容して、ハウジングの外部に突出する釦をクランプの
一端によって付勢する締着具を構成し、この締着具にて物干し具を支柱の任意の箇所に移
動させかつ固定する移動作業を極めて容易に、しかも片手だけでも行えるようにする締着
具を備えた物干し具が提案されている。又、窓枠等にも利用して靴下やハンカチ等の小物
類の洗濯物を干せるようにした物干し具として、特許文献３には窓枠等の上下支持枠間に
上下方向に延びる支柱を装着する取付アタッチメントを有し、この上下方向に延びる支柱
にハンガー装置を３６０度回転可能に嵌挿して取付けた物干装置であり、そのハンガー装
置には折畳み自在な多数の物干杆を放射状で扇形に配列されており、ハンガー装置を水平
面内で向きを反転可能にして窓枠等の上下支持枠間に装着して物干杆の向きを例えば窓の
内外等に変えるようにした物干装置が提案されている。
【０００４】
【特許文献１】特開２００４−２６７６５８号公報
【特許文献２】実開平６−６２９９４号公報
【特許文献３】実開昭６２−８３３９７号公報
【発明の開示】
【発明が解決しようとする課題】
【０００５】
しかし、特許文献２の締着具を備えた物干し具の提案では、上下方向に延びる支柱等の被
挟持体に挟持して靴下やハンカチ等の小物類の洗濯物を干せるようにしているが、物干し
具の締着具はクランプの環状部にて棒状体である支柱に摺動可能にさせて弾性的に締め付
ける事によって棒状体に締着される構成であるので、棒状体である支柱の一端が開放した
ものであればよいが、ベランダの縦格子のように両端が閉塞した被挟持体には締着する事
が出来ない。又、特許文献３の物干装置の提案では、窓枠等にも利用して靴下やハンカチ
等の小物類の洗濯物を干せるようにしているが、上記特許文献２の提案と同様に両端が閉
塞している被挟持体には装着する事が出来ず、しかも、窓の内方又は外方の何れか一方へ
突出させて物干しを行うには窓枠等の上下支持枠間に装着する取付アタッチメントが必要
である。
【０００６】
本発明は上記した従来の問題点を解消し、小形で、ベランダの縦格子、竿等に吊り下げら
れた干し具の支柱や物干し竿が横架された上下方向に延びる支柱等のように両端が閉塞さ
れたもしくは径大な被挟持体又は扉や窓の枠等の棒状ではない幅広な板状のような被挟持
体等の如く上下方向に延びる被挟持体に簡単に挟持させて、小物類の洗濯物を干す事が出
来る物干し具を提供する事を目的とする。
【課題を解決するための手段】
【０００７】
本発明の請求項１の物干し具は、洗濯物を干す複数本の干し腕が放射状に広げた状態と折りたたんだ状態とに起倒自在に取り付けられた干し腕支持体を干し腕の折りたたんだ状態の方向に延びる被挟持体に挟持して洗濯物を干すようにした物干し具において、該干し腕支持体は上面と下面および弧状の外周壁と直線状の接離面となる内周壁とを有する一対の略半円形状であって該内周壁には該干し腕支持体が略円形状となるように接離する接離面と該接離面に形成した凹部を有しており、干し腕支持体を閉じる方向に付勢するバネに抗して該一対の干し腕支持体の先端位置が広く開閉させるように一対の摘み操作部をそれぞれの干し腕支持体の外周壁の下方位置に設けて、複数本の干し腕のそれぞれが該干し腕支持体の外周壁の上方位置にて起倒自在に取り付けてなり、該摘み操作部にて該干し腕支持体を開閉する事により該内周壁の凹部で該被挟持体に挟持して洗濯物を干すようにし、前記干し腕支持体の先端位置における外周壁の高さは後端位置における外周壁の高さよりも
大きくした事を特徴とする物干し具。
【０００８】
本発明の請求項２の物干し具は、請求項１記載の物干し具で、前記干し腕支持体の内周壁には略中央位置にあって略半円状に切除された第１の凹部と先端位置と略中央位置との間にあって三角形状に切除された第２の凹部を設けてこれら第１の凹部と第２の凹部の少なくとも何れか一方にて該干し腕支持体を被挟持体に挟持して洗濯物を干すようにした事を特徴とする。
【０００９】
本発明の請求項３の物干し具は、請求項１又は２記載の物干し具で、前記一対の干し腕支持体のそれぞれを摘み操作部と合成樹脂で一体に成形した事を特徴とする。
【発明の効果】
【００１０】
本発明の請求項１の物干し具は、洗濯物を干す複数本の干し腕が放射状に広げた状態と折
りたたんだ状態とに起倒自在に取り付けられた干し腕支持体を干し腕の折りたたんだ状態
の方向に延びる被挟持体に挟持して洗濯物を干すようにしているので、多数の洗濯物を干
す事ができ、干し腕が起倒自在でない物干し具に比し収納性が向上する。更に、該干し腕
支持体は上面と下面および弧状の外周壁と直線状の接離面となる内周壁とを有する一対の
略半円形状であって該内周壁には該干し腕支持体が略円形状となるように接離する接離面
と該接離面に形成した凹部を有しており、干し腕支持体を閉じる方向に付勢するバネに抗
して該一対の干し腕支持体の先端位置が広く開閉させるように一対の摘み操作部をそれぞ
れの干し腕支持体の外周壁に設けているので、ベランダの縦格子、竿等に吊り下げられた
干し具の支柱や物干し竿が横架された上下方向に延びる支柱等のように両端が閉塞された
もしくは径大な被挟持体又は扉や窓の枠等の棒状ではない幅広な板状のような被挟持体等
の如く上下方向に延びる被挟持体に挟持する事ができ、物干し具の被挟持体への取り付け
が簡単にできる。しかも、複数本の干し腕のそれぞれが該干し腕支持体の外周壁の上方位
置にて起倒自在に取り付けるとともに開閉操作する摘み操作部を干し腕支持体の外周壁の
下方位置に設けてあるので、手指で開閉操作する時に干し腕が手指に接触し難くなり、摘
み操作部の開閉操作性が向上する。又、該干し腕支持体の内周壁には略円形状となるよう
に接離する接離面と該接離面に形成した凹部を有して該凹部で該被挟持体に挟持して洗濯
物を干すようにしているので、該被挟持体との挟持面積が大きくなって物干し具を被挟持
体に強固に挟持させ、閉じたときに略円形状となり、物干し具の外形を小さく干し腕を折
りたたんで収納性や運搬性が向上する。又、前記干し腕支持体の先端位置における外周壁の高さは後端位置における外周壁の高さよりも大きくしているので、該内周壁の凹部で該被挟持体に挟持する面積が更に大きくなってより物干し具を被挟持体に強固に挟持させる事が出来る。
【００１１】
本発明の請求項２の物干し具は、前記干し腕支持体の内周壁には略中央位置にあって略半
円状に切除された第１の凹部と先端位置と略中央位置との間にあって三角形状に切除され
た第２の凹部を設けてこれら第１の凹部と第２の凹部の少なくとも何れか一方にて該干し
腕支持体を被挟持体に挟持して洗濯物を干すようにしているので、形状の異なった被挟持
体に挟持する事ができ、又、干し腕支持体の第１の凹部と第２の凹部の双方にて同時に被
挟持体に挟持する事により、より物干し具を２種の被挟持体に強固に挟持させる事ができ
る。
【００１２】
本発明の請求項３の物干し具は、前記一対の干し腕支持体のそれぞれを摘み操作部と合成
樹脂で一体に成形する事により、組み立ての容易な物干し具を提供する事ができる。
【発明を実施するための最良の形態】
【００１３】
本発明の実施形態を図面に基づいて、以下、説明する。
【００１４】
図１乃至図４において、物干し具１は、略円形状となるように接離自在な一対の略半円形
状からなる干し腕支持体５、５と、干し腕支持体５、５に放射状に広げた状態と折りたた
んだ状態とに起倒自在に取り付けられた洗濯物を干す複数本の干し腕６と、一対の略半円
形状の干し腕支持体５、５をその先端位置を広く開閉する一対の摘み操作部３、３とから
なり、干し腕６を折りたたんだ状態の方向に延びる支柱１５、扉１６およびベランダの縦
格子１７等の被挟持体に挟持して靴下やハンカチ等の小物類の洗濯物を干すものである。
【００１５】
一対の略半円形状の干し腕支持体５、５のそれぞれには上面と下面および弧状の外周壁２
と直線状の内周壁とからなり、内周壁には一対の略半円形状の干し腕支持体５、５が略円
形状となるように接離する直線状の接離面１０を有し、この接離面１０には略半円形状に
切除された第１の凹部８と三角形状に切除された第２の凹部９とからなる凹部が設けられ
ている。第１の凹部８は丸棒状の上下に延びる支柱に物干し具１の略中心に配置できるよ
うに接離面１０の略中央位置に形成されており、その凹部９の外径は、例えば、半径０．５〜１ｃｍとするが、上下方向に延びる被挟持体の径に対応するように設定すればよいの
で、これに限定されるものでない。又、第２の凹部９は、接離面１０の先端位置と略中央
位置との間にあって三角形状に切除されて形成されており、これによって、扉や窓の枠等
の棒状ではない幅広な板状で上下方向に延びる略四角形状の被挟持体に挟持し易くなる。
三角形状に切除された第２の凹部９は、三角形状以外に、略半円形状の第１の凹部８、８
より大きい略半円形状、又は、小さい略半円形状でも良い。干し腕支持体５の接離面１０
と、第1の凹部８と第２の凹部９には、被挟持体に充分挟持出来る様、滑り止め用のゴム
パッドを装着しても良いし、物干し具１の原材料であるポリエチレン樹脂等の合成樹脂で
その表面に凹凸を形成して挟持性を更に強固にするようにしても良い。なお、これら第１
の凹部８と第２の凹部９の少なくとも何れか一方にて干し腕支持体５、５を被挟持体に挟
持して洗濯物を干すようにしているので、形状の異なった被挟持体に挟持する事ができ、
又、干し腕支持体５、５の第１の凹部８と第２の凹部９の双方にて同時に２種の被挟持体
に挟持する事により、物干し具を被挟持体に更に強固に挟持させることができる。
【００１６】
又、一対の略半円形状の干し腕支持体５、５のそれぞれの上面側の弧状の外周壁２の角を
例とする上方位置に複数本の干し腕６が放射状に広げた状態と折りたたんだ状態とに起倒
自在に取り付けられている。各干し腕６の少なくとも基端部もしくは先端部に洗濯物脱落
防止の為の係止部材７が装備されている。なお、図１乃至図４においては基端部および先
端部にピンチを例とする係止部材７が装備されている。
【００１７】
更に、一対の略半円形状の干し腕支持体５、５のそれぞれの下面側には、Ｃ字形のバネ鋼
線からなるバネ４が干し腕支持体５、５を閉じる方向に付勢するように設けられており、
図３に示すように指１１で一対の摘み操作部３、３を摘む事により、干し腕支持体５、５
を開閉自在に出来る様にされている。又、図２に示すように、一対の摘み操作部３、３は
一対の干し腕支持体５、５の上面より低い位置、すなわち干し腕６と離れる方向の位置に
設けられており、干し腕６を起倒した際、指１１に干し腕６が接触し難くして摘み操作部
３、３の開閉操作性を向上させている。
【００１８】
一対の摘み操作部３、３それぞれを一対の摘み操作部３、３のそれぞれとポリエチレン樹
脂等の合成樹脂材で一体に成形すれば、製作が簡単となり、組み立ての容易な物干し具１
を提供する事ができる。
【００１９】
このようにして構成した物干し具１は、一対の摘み操作部３、３にて干し腕支持体５、５
を開閉させて、干し腕支持体５、５の接離面１０に形成した第１の凹部８と第２の凹部９
からなる凹部をベランダの縦格子１７、竿１２等に吊り下げられた干し具１３の支柱を例
とする上下方向に延びる支柱１５等の両端が閉塞もしくは径大な被挟持体又は扉１６や窓
の枠等の棒状ではない幅広な板状のような被挟持体等の如く上下方向に延びる被挟持体に
挟持して、靴下やハンカチ等の小物類の洗濯物を干すようにする。更に、この物干し具１
の複数の干し腕６は、図４に示すように、干し腕６を起こす事により旅行等の携帯や狭い
場所への持ち運び等に便利である。又、図７に示すようにその先端部が被挟持体に近づく
方向に起こし、図１又は図２のように、その先端部が離れる方向に倒して放射状に広げら
れて、干し腕支持体５、５に起倒自在に配置してある。この配置により、被挟持体を囲む
占有面積が小さくなる。
【００２０】
（使用例）
次に、上記のように構成した物干し具１を図５乃至図７に基づいて上下方向に延びる被挟
持体に挟持する使用例について図面に基づいて、以下、説明する。
【００２１】
図５の上下方向に延びる両端が径大な被挟持体は、物干し竿１２等に吊り下げられたアン
ブレラ型物干し具１３の支柱１５を例としている。２つの物干し具１のそれぞれの干し腕
支持体５、５を閉じた状態から一対の摘み操作部３、３をバネ４に抗して摘んで、干し腕
支持体５、５を開いて、それぞれの接離面１０、１０の略半円形状の第１の凹部８、８（
図３参照）にて、この支柱１５に挟持して取り付ける。従来、アンブレラ型物干し具１３
を物干し竿１２に吊り下げて洗濯物を干している時、アンブレラ型物干し具１３の先端の
フック１４と放射状に広がる干し腕との間の支柱１５だけの空間は大変無駄な空間であっ
たが、その支柱１５に物干し具１を着脱自在に挟持して小物類を干すと、無駄な空間を有
効利用出来るとともに、わざわざ別途に、フックを有する小物干し具を用意し物干し竿等
に吊り下げなくても、小物洗濯物例えば、靴下やハンカチを干す事が出来る。この場合、
上記物干し竿１２に吊り下げられたアンブレラ型物干し具１３の支柱１５を被挟持体とし
た使用例と同様に、物干し竿を横架する上下方向に延びる支柱を被挟持体として本発明の
物干し具１を着脱自在に挟持して小物類を干す事も同様の効果がある。
【００２２】
図６の上下方向に延びる幅広の板状の被挟持体は、扉１６を例としている。物干し具１の
一対の摘み操作部３、３をバネ４に抗して摘んで、干し腕支持体５、５の先端位置で接離
面１０、１０に略三角形状に切除された第２の凹部９、９にてこの扉１６を挟持して取り
付ける。
【００２３】
図７の上下方向に延びる両端が閉塞された被挟持体は、ベランダの縦格子１７の一部を例
としている。物干し具１の一対の摘み操作部３、３をバネ４に抗して摘んで、干し腕支持体５、５の先端位置で接離面１０、１０に略三角形状に切除された第２の凹部９、９にて
、このベランダの縦格子１７に挟持して取り付ける。このようにベランダの縦格子１７に
物干し具１を挟持して取り付けした時、干し腕支持体５、５に設けられた干し腕６が縦格
子１７の箇所で放射状に広げる事が出来ないが、干し腕６が干し腕支持体５、５に起倒自
在に取り付けられている為、干し腕支持体５、５の先端位置、すなわち摘み操作部３、３
から遠い位置にある干し腕６を起立させ、摘み操作部３、３から近い位置の手前側の干し
腕６のみを放射状に広げて干す事が出来る。
【００２４】
（異なる実施形態）
次に、各干し腕６の先端部に装備する洗濯物脱落防止の為の係止部材の異なる実施形態を
図面に基づいて、以下、説明する。
【００２５】
図８は干し腕６の別の実施例で、図１乃至図４と同様な構成で、異なる点は、複数本の干
し腕６のそれぞれに棒状部材１８を設けて、干し腕６の内部に空間が出来るようにした物
干し具１で、この棒状部材１８に靴下等の筒状洗濯物を通して干すと、筒状洗濯物の内部
にも空間が出来るので、空気が入る事によって乾燥を促進する事が出来る。
【００２６】
図９において、図１乃至図４と同様な構成で、異なる点は、干し腕６には基端部および先
端部にピンチを例とする係止部材７が装備されており、その先端部に洗濯ばさみ１９を設
けて、小物類の洗濯物をより多く干すことができる物干し具１である。
【００２７】
図１０において、図１乃至図４と同様な構成で、異なる点は、干し腕支持体５、５の接離
面１０、１０に略半円形状に切除された第１の凹部８、８のみを形成したもので、接離面
積が広くなって干し腕支持体５、５を閉じた際、略円形状に保持しやすく出来るとともに
、製作が簡単である。
【００２８】
図１１において、図１乃至図４と同様な構成で、異なる点は、干し腕支持体５、５の先端
位置における外周壁２の高さは後端位置における外周壁２の高さよりも大きくして、干し
腕支持体５、５の先端位置で扉のような板状の被挟持体に挟持する際、干し腕支持体５、
５の先端位置の被挟持体に挟持する面積が更に大きくなってより物干し具１を上下方向に
延びる被挟持体に強固に挟持させる事ができる。
【図面の簡単な説明】
【００２９】
【図１】本発明の実施形態を示す平面図である。
【図２】本発明の実施形態を示す斜視図である。
【図３】本発明の物干し具の摘み操作部を操作して干し腕支持体を開いた状態を示す    図である。
【図４】本発明の物干し具の干し腕を起こして干し腕を閉じた状態を示す平面図であ    る。
【図５】本発明の物干し具の使用状態を示す図である。
【図６】本発明の物干し具の別の使用状態を示す図である。
【図７】本発明の物干し具の更に別の使用状態を示す図である。
【図８】本発明の干し腕の別の実施例を示す平面図である。
【図９】本発明の干し腕の異なる実施例を示す斜視図である。
【図１０】本発明の干し腕支持体の接離面に設ける凹部の異なる実施形態を示す図で    ある。
【図１１】本発明の干し腕支持体の異なる実施形態を示す図である。
【符号の説明】
【００３０】
１    物干し具
２    外周壁
３    摘み操作部
４    バネ
５    干し腕支持体
６    干し腕
７    係止部材
８    第１の凹部
９    第２の凹部
１０  接離面(内周壁の一部)
１１  指
１２  物干し竿
１３  アンブレラ型物干し具
１４  フック
１５  支柱
１６  扉
１７  ベランダの縦格子
１８  棒状部材
１９  洗濯ばさみ
【要約】 
【課題】  小形で、上下方向に延びる被挟持体に簡単に挟持させて、小物類の洗濯物を干す事が出来る物干し具を提供する。
【解決手段】  複数本の干し腕６が放射状に広げた状態と折りたたんだ状態とに起倒自在に一対の略半円形状で先端位置が広く開閉する干し腕支持体５、５のそれぞれの外周壁２の上方位置に取り付けられており、干し腕６の折りたたんだ状態の方向に延びる被挟持体に干し腕支持体５、５を挟持して洗濯物を干すようにした物干し具で、干し腕支持体５、５が接離する直線状の接離面に凹部（第１の凹部８、第２の凹部９）を有しており、干し腕支持体５、５を閉じる方向に付勢するバネ４に抗して一対の干し腕支持体５、５を開閉する一対の摘み操作部３、３をそれぞれの干し腕支持体５、５の外周壁２の下方位置に設けてなり、摘み操作部３、３にて干し腕支持体５、５を開閉させて該凹部で該被挟持体に挟持して洗濯物を干すようにした物干し具である。
【選択図】図１【図１】
0004268216.tif 000002
【図２】
0004268216.tif 000003
【図３】
0004268216.tif 000004
【図４】
0004268216.tif 000005
【図５】
0004268216.tif 000006
【図６】
0004268216.tif 000007
【図７】
0004268216.tif 000008
【図８】
0004268216.tif 000009
【図９】
0004268216.tif 000010
【図１０】
0004268216.tif 000011
【図１１】
0004268216.tif 000012